(57)【要約】【課題】  表示品位を改善することを可能とする。【解決手段】  第１方向に延出する走査線と、前記第１方向と交差する第２方向に延出する信号線と、前記信号線と重畳し前記信号線に沿って延出する第１突出部と、を有する第１基板と、前記第１基板に対向し、前記走査線と重畳する位置に前記走査線に沿って延出する第２突出部を有する第２基板と、を備え、前記走査線と前記信号線とが交差する第１交差部を有し、前記第１突出部及び前記第２突出部は、前記第１交差部において当接している、表示装置。【選択図】      図１
2019045759.tif 000002
【特許請求の範囲】
【請求項１】
第１方向に延出する走査線と、前記第１方向と交差する第２方向に延出する信号線と、前記信号線と重畳し前記信号線に沿って延出する第１突出部と、を有する第１基板と、
前記第１基板に対向し、前記走査線と重畳する位置に前記走査線に沿って延出する第２突出部を有する第２基板と、を備え、
前記走査線と前記信号線とが交差する第１交差部を有し、
前記第１突出部及び前記第２突出部は、前記第１交差部において当接している、表示装置。
【請求項２】
前記第１突出部は、前記第１方向に第１幅を有し、
前記第２突出部は、第１間隔をあけて互いに分離した第１部分と第２部分と、を有し、
前記第１間隔は、前記第１幅よりも小さい、請求項１に記載の表示装置。
【請求項３】
前記第２突出部は、前記第２方向に第２幅を有し、
前記第１突出部は、第２間隔をあけて互いに分離した第３部分と第４部分と、を有し、
前記第２間隔は、前記第２幅よりも小さい、請求項２に記載の表示装置。
【請求項４】
前記第１幅と前記第２幅とは、同じ幅である、請求項３に記載の表示装置。
【請求項５】
前記第２突出部は、前記第２方向に第２幅を有し、
前記第１突出部は、第２間隔をあけて互いに分離した第３部分と第４部分と、を有し、
前記第２間隔は、前記第２幅よりも小さい、請求項１に記載の表示装置。
【請求項６】
前記信号線は、前記第１方向に並んで配置された第１乃至第４信号線を有し、
前記第１突出部は、前記第１信号線及び前記第４信号線と重畳するように配置されている、請求項１乃至５のいずれか１項に記載の表示装置。
【請求項７】
前記第２突出部は、前記走査線毎に配置されている、請求項１乃至６のいずれか１項に記載の表示装置。
【請求項８】
さらに、前記第２基板と接着するカバー部材を備え、
前記カバー部材は、平坦部と、前記平坦部よりも前記第１基板側に湾曲している湾曲部と、を有し、
前記第１部分は、前記平坦部に位置し、
前記第２部分は、前記湾曲部に位置している、請求項２に記載の表示装置。
【請求項９】
前記第１間隔は、前記湾曲部に位置している、請求項８に記載の表示装置。
【請求項１０】
さらに、前記第２基板と接着するカバー部材を備え、
前記カバー部材は、平坦部と、前記平坦部よりも前記第１基板側に湾曲している湾曲部と、を有し、
前記第３部分は、前記平坦部に位置し、
前記第４部分は、前記湾曲部に位置している、請求項３又は５に記載の表示装置。
【請求項１１】
前記第２間隔は、前記湾曲部に位置している、請求項１０に記載の表示装置。
【発明の詳細な説明】
【技術分野】
【０００１】
本発明の実施形態は、表示装置に関する。
【背景技術】
【０００２】
シート状の表示パネルを備える表示装置が検討されている。表示パネルは、可撓性を有し、互いに対向している第１基板及び第２基板と、第１基板と第２基板との間に位置する液晶層及びスペーサとを備えている。表示パネルは、スペーサを間に挟んで第１基板と第２基板とを貼り合わせて構成されている。このような表示パネルは、剛性を有する２つの基板を貼り合わせて構成された表示パネルと比べて、第１基板と第２基板との間に位置ずれが生じ易い。第１基板と第２基板との間に位置ずれが生じた場合、スペーサは、第１基板又は第２基板に設けられた配向膜と擦れ、配向膜を損傷し得る。スペーサと擦れたことで配向膜が損傷した箇所では、液晶分子の配向が乱れることで光漏れが生じ、光漏れに起因したコントラスト比の低下が生じ得る。
【先行技術文献】
【特許文献】
【０００３】
【特許文献１】特開２０００−２１４４６９号公報
【特許文献２】特開２０１６−１４７７６号公報
【特許文献３】特開２０１６−１７７０８０号公報
【特許文献４】特開２０１６−２２４２９８号公報
【発明の概要】
【発明が解決しようとする課題】
【０００４】
本実施形態の目的は、表示品位を改善可能な表示装置を提供することにある。
【課題を解決するための手段】
【０００５】
一実施形態によれば、第１方向に延出する走査線と、前記第１方向と交差する第２方向に延出する信号線と、前記信号線と重畳し前記信号線に沿って延出する第１突出部と、を有する第１基板と、前記第１基板に対向し、前記走査線と重畳する位置に前記走査線に沿って延出する第２突出部を有する第２基板と、を備え、前記走査線と前記信号線とが交差する第１交差部を有し、前記第１突出部及び前記第２突出部は、前記第１交差部において当接している、表示装置が提供される。
【図面の簡単な説明】
【０００６】
【図１】図１は、第１実施形態の表示装置を構成する表示パネルの構成例を示す図である。
【図２】図２は、第１基板の構成例を示す平面図である。
【図３】図３は、第１実施形態に係る第１スペーサと第２スペーサとの構成例を示す平面図である。
【図４】図４は、第２基板の構成例を示す平面図である。
【図５】図５は、図４に示したＡ−Ａに沿って切断した表示装置の構成例を示す断面図である。
【図６】図６は、図５に示したＢ−Ｂに沿って切断した表示装置の構成例を示す断面図である。
【図７】図７は、表示装置の構成例を示す斜視図である。
【図８】図８は、図７に示したＣ−Ｃに沿って切断した表示装置の構成例を示す断面図である。
【図９】図９は、変形例１に係る第１スペーサと第２スペーサとの構成例を示す平面図である。
【図１０】図１０は、変形例２に係る第１スペーサと第２スペーサとの構成例を示す平面図である。
【図１１】図１１は、変形例３に係る第１スペーサと第２スペーサとの構成例を示す平面図である。
【図１２】図１２は、変形例４に係る第１スペーサと第２スペーサとの構成例を示す平面図である。
【発明を実施するための形態】
【０００７】
以下、実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
実施形態においては、電子機器の一例として表示装置を開示する。この表示装置は、例えば、スマートフォン、タブレット端末、携帯電話端末、ノートブックタイプのパーソナルコンピュータ、ゲーム機器、ＶＲ（Ｖｉｒｔｕａｌ  Ｒｅａｌｉｔｙ）ビュアー等の種々の装置に用いることができる。以下、表示装置ＤＳＰを液晶表示装置として説明する。
【０００９】
図１は、第１実施形態の表示装置ＤＳＰを構成する表示パネルＰＮＬの構成例を示す図である。以下、表示パネルＰＮＬをシート状のフレキシブルタイプの表示パネルとして説明する。
ここで、図１では、互いに交差する第１方向Ｘ及び第２方向Ｙで規定されるＸ−Ｙ平面における表示パネルＰＮＬの平面図を示している。なお、図示した例では、第１方向Ｘ、第２方向Ｙ、及び第３方向Ｚは、互いに直交しているが、９０°以外の角度で交差していてもよい。また、第３方向Ｚから第１方向Ｘ及び第２方向Ｙによって規定されるＸ−Ｙ平面をみることを平面視という。
【００１０】
平面視した場合、表示パネルＰＮＬは、例えば、略長方形状に形成されている。なお、表示パネルＰＮＬは、角部に丸みを帯びたラウンド形状に形成されていてもよい。表示パネルＰＮＬは、第１基板ＳＵＢ１と、第１基板ＳＵＢ１と対向する第２基板ＳＵＢ２と、第１基板ＳＵＢ１と第２基板ＳＵＢ２との間に保持された液晶層ＬＣと、を備えている。第１基板ＳＵＢ１と第２基板ＳＵＢ２とは、これらの間に所定のセルギャップを形成した状態で、シール材ＳＬによって貼り合わせられている。液晶層ＬＣは、第１基板ＳＵＢ１と第２基板ＳＵＢ２との間のセルギャップにおいてシール材ＳＬによって囲まれた内側に保持されている。表示パネルＰＮＬは、シール材ＳＬによって囲まれた内側に画像を表示する表示領域ＤＡを有している。表示領域ＤＡは、例えば、略矩形形状である。なお、表示領域ＤＡは、他の多角形状であってもよいし、ラウンド形状であってもよい。また、表示パネルＰＮＬは、表示領域ＤＡの外側に非表示領域ＮＤＡを有している。なお、第２基板ＳＵＢ２は、平面視で表示領域ＤＡと重なる領域である光透過領域ＴＡと、平面視で非表示領域ＮＤＡと重なる領域である非透過領域ＮＴＡとを有している。ここで、光透過領域ＴＡにおいては、配線等の遮光性を有する部材が配置されていても良い。
【００１１】
表示パネルＰＮＬは、表示領域ＤＡに複数の副画素ＰＸを備えている。ここで、副画素とは、画素信号に応じて個別に制御することができる最小単位を示し、例えば、後述する走査線と信号線とが交差する位置に配置されたスイッチング素子を含む領域に存在する。また、主画素は、複数の副画素で構成される。例えば、赤色に対応する副画素、緑色に対応する副画素、青色に対応する副画素により１つの主画素が構成される。他の例では、赤色に対応する副画素、緑色に対応する副画素、青色に対応する副画素、白色に対応する副画素により１つの主画素が構成される。主画素は、表示領域ＤＡに表示される画像の最小単位に相当する。複数の副画素ＰＸは、表示領域ＤＡにマトリクス状に配置されている。
【００１２】
表示パネルＰＮＬは、表示領域ＤＡにおいて、第１方向Ｘに沿って延出した走査線Ｇ、第２方向Ｙに沿って延出した信号線Ｓ、各副画素ＰＸにおいて走査線Ｇ及び信号線Ｓと電気的に接続されたスイッチング素子ＳＷ、各副画素ＰＸにおいてスイッチング素子ＳＷと電気的に接続された画素電極ＰＥ、及び、共通電極ＣＥなどを備えている。
【００１３】
表示パネルＰＮＬは、その背面側に配置されたバックライトユニットからの光を選択的に透過することによって画像を表示する透過型パネルとして構成されても良いし、表示パネルＰＮＬに入射する外光を選択的に反射することによって画像を表示する反射型パネルとして構成されても良いし、透過型及び反射型を組み合わせた半透過型パネルとして構成されても良い。
【００１４】
駆動ＩＣチップ２及びフレキシブル・プリンテッド・サーキット（ＦＰＣ）基板３などの表示パネルＰＮＬの駆動に必要な信号供給源は、非表示領域ＮＤＡに位置している。図示した例では、駆動ＩＣチップ２及びＦＰＣ基板３は、第２基板ＳＵＢ２の１つの基板側縁ＳＵＢ２ｅよりも外側に延出した第１基板ＳＵＢ１の実装部ＭＴに実装されている。実装部ＭＴは、第１基板ＳＵＢ１の１つの基板側縁ＳＵＢ１ｅに沿って形成されている。図示した例では、基板側縁ＳＵＢ１ｅ及びＳＵＢ２ｅは、第１方向Ｘに沿って互いに略平行に形成されている。また、図示した例では、実装部ＭＴは、基板側縁ＳＵＢ１ｅ及びＳＵＢ２ｅの間に位置している。図示していないが、第１基板ＳＵＢ１は、実装部ＭＴに信号供給源を接続するための接続端子（以下、パッドと称する）を備えている。パッドには、上記の走査線Ｇや信号線Ｓなどと電気的に接続されたものが含まれる。なお、図示した例では、第２基板ＳＵＢ２の他の３つの基板側縁は、第１基板ＳＵＢ１の他の３つの基板側縁と対向している。  
シール材ＳＬは、非表示領域ＮＤＡに配置され、表示領域ＤＡを囲んでいる。図示した例では、シール材ＳＬは、矩形形状に形成されている。
【００１５】
図２は、第１基板ＳＵＢ１の構成例を示す平面図である。図２では、第１基板ＳＵＢ１の主要部を示している。図示した例では、横電解を利用する表示モードの一つであるＦＦＳ（Ｆｒｉｎｇｅ  Ｆｉｅｌｄ  Ｓｗｉｔｃｈｉｎｇ）モードが適用された例に相当する。  
第１基板ＳＵＢ１は、走査線Ｇ（Ｇ１、Ｇ２、Ｇ３…）、信号線Ｓ（Ｓ１、Ｓ２、Ｓ３、Ｓ４…）、スイッチング素子ＳＷ（ＳＷ１、ＳＷ２、ＳＷ３、ＳＷ４…）、ソース／ドレイン（Ｓ／Ｄ）層ＲＥ（ＲＥ１…）、共通電極ＣＥ、及び画素電極ＰＥ（ＰＥ１…）などを備えている。なお、図２では、説明に必要な構成のみを図示しており、共通電極ＣＥなどの図示を省略している。
【００１６】
複数の走査線Ｇは、間隔をおいて第２方向Ｙに並んでいる。走査線Ｇは、第１方向Ｘに沿って直線状に延出している。なお、走査線Ｇは、一部が屈曲していてもよい。複数の信号線Ｓは、間隔をおいて第１方向Ｘに並んでいる。信号線Ｓは、概ね第２方向Ｙに延出し、その一部が屈曲している。図示した例では、隣接する２本の走査線Ｇの間においては、信号線Ｓは、第１方向Ｘ及び第２方向Ｙとは異なる方向に延出している。なお、信号線Ｓは、第２方向Ｙに沿った直線状に形成されていてもよい。走査線Ｇと信号線Ｓとは、平面視した場合に、交差部ＸＰ（ＸＰ１、ＸＰ２、ＸＰ３、ＸＰ４、ＸＰ５、ＸＰ６、ＸＰ７、ＸＰ８、ＸＰ９、ＸＰ１０、ＸＰ１１、ＸＰ１２・・・）で交差している。例えば、走査線Ｇ１と信号線Ｓ１とは、交差部ＸＰ１で交差している。同様に、走査線Ｇ１と信号線Ｓ２乃至Ｓ４とは、それぞれ、交差部ＸＰ２乃至ＸＰ４で交差している。走査線Ｇ２と信号線Ｓ１乃至Ｓ４とは、それぞれ、交差部ＸＰ５乃至ＸＰ８で交差している。走査線Ｇ３と信号線Ｓ９乃至Ｓ１２とは、それぞれ、交差部ＸＰ９乃至ＸＰ１２で交差している。走査線Ｇ及び信号線Ｓは、アルミニウム（Ａｌ）、チタン（Ｔｉ）、銀（Ａｇ）、モリブデン（Ｍｏ、タングステン（Ｗ）、銅（Ｃｕ）、クロム（Ｃｒ）などの金属材料や、これらの金属材料を組み合せた合金などによって形成されている。走査線Ｇ及び信号線Ｓは、単層構造であっても良いし、多層構造であってもよい。図中において、副画素ＰＸは、隣接する２本の走査線Ｇと隣接する２本の信号線Ｓとによって区画される領域に相当する。一例として、副画素ＰＸ１は、走査線Ｇ１及びＧ２と信号線Ｓ１及びＳ２とによって区画される領域に相当する。
【００１７】
画素電極ＰＥは、各副画素ＰＸに配置されている。画素電極ＰＥは、コンタクトホールＣＨ１（ＣＨ１１…）を介してＳ／Ｄ層ＲＥに電気的に接続されている。一例として、画素電極ＰＥ１は、副画素ＰＸ１に配置されている。画素電極ＰＥ１は、コンタクトホールＣＨ１１を介してＳ／Ｄ層ＲＥ１に電気的に接続されている。画素電極ＰＥは、インジウム・ティン・オキサイド（ＩＴＯ）やインジウム・ジンク・オキサイド（ＩＺＯ）などの透明な導電材料によって形成されている。なお、画素電極ＰＥの形状は、図示した例に限定されるものではなく、副画素ＰＸの形状などに合わせて適宜変更することができる。
【００１８】
Ｓ／Ｄ層ＲＥは、各副画素ＰＸに配置されている。Ｓ／Ｄ層ＲＥは、コンタクトホールＣＨ２（ＣＨ２１…）を介してスイッチング素子ＳＷに電気的に接続されている。Ｓ／Ｄ層ＲＥは、例えば、信号線Ｓと同じ層に、同一材料によって形成されている。一例として、Ｓ／Ｄ層ＲＥ１は、副画素ＰＸ１に配置されている。Ｓ／Ｄ層ＲＥ１は、コンタクトホールＣＨ２１を介してスイッチング素子ＳＷ１に電気的に接続されている。
【００１９】
スイッチング素子ＳＷは、走査線Ｇ及び信号線Ｓと電気的に接続されている。スイッチング素子ＳＷは、コンタクトホールＣＨ３（ＣＨ３１…）を介して信号線Ｓに電気的に接続されている。一例として、スイッチング素子ＳＷ１は、走査線Ｇ１及び信号線Ｓ１と電気的に接続されている。スイッチング素子ＳＷ１は、コンタクトホールＣＨ３１を介して信号線Ｓ１に電気的に接続されている。  
また、スイッチング素子ＳＷは、半導体層ＳＣを備えている。図示した例では、スイッチング素子ＳＷ１は、半導体層ＳＣ１を有し、スイッチング素子ＳＷ２は、半導体層ＳＣ２を有し、スイッチング素子ＳＷ３は、半導体層ＳＣ３を有し、スイッチング素子ＳＷ４は、半導体層ＳＣ４を有する。半導体層ＳＣ（ＳＣ１乃至ＳＣ４…）については後述する。
【００２０】
図３は、第１実施形態に係る第１スペーサＵＣと第２スペーサＤＣとの構成例を示す平面図である。ここでは、図２に示した第１基板ＳＵＢ１の主要部を点線で示している。  
複数の第１スペーサ（突出部）ＵＣ（ＵＣ１、ＵＣ２…）は、間隔をおいて第１方向Ｘに並んでいる。第１スペーサ（突出部）ＵＣは、概ね第２方向Ｙに延出し、その一部が屈曲している。なお、第１スペーサＵＣは、表示領域ＤＡを横断するように、第２方向Ｙに切れ目なく形成されていてもよい。また、第１スペーサＵＣは、第２方向Ｙに直線状に延出していてもよい。第１スペーサＵＣ１、ＵＣ２は、第１方向Ｘに幅Ｗ１を有するように形成されている。
【００２１】
図示した例では、第１スペーサＵＣ１は、信号線Ｓ１に重畳し、信号線Ｓ１に沿って第２方向Ｙに延出している。第１スペーサＵＣ２は、信号線Ｓ４に重畳し、信号線Ｓ４に沿って第２方向Ｙに延出している。第１スペーサＵＣ１と第１スペーサＵＣ２とは、第１方向Ｘに１主画素分の間隔を置いて離間している。言い換えると、信号線Ｓ２及びＳ３と重畳する位置には、第１スペーサＵＣは形成されていない。
【００２２】
複数の第２スペーサＤＣ（ＤＣ１、ＤＣ２、ＤＣ３…）は、間隔をおいて第２方向Ｙに並んでいる。例えば、第２スペーサＤＣは、走査線Ｇ毎に配置されている。第２スペーサＤＣは、第１方向Ｘに沿って直線状に延出している。なお、第２スペーサＤＣは、表示領域ＤＡを横断するように、第１方向Ｘに切れ目なく形成されていてもよい。また、第２スペーサＤＣは、一部が屈曲していてもよい。図示した例では、第２スペーサＤＣは、少なくとも１つ隙間ＧＰ１を有している。隙間ＧＰ１は、第１スペーサＵＣの第１方向Ｘにおける幅Ｗ１よりも小さい。第２スペーサＤＣは、第１スペーサＵＣと交差している。第２スペーサＤＣ１、ＤＣ２、及びＤＣ３は、第２方向Ｙに幅Ｗ２を有するように形成されている。一例としては、幅Ｗ２は、幅Ｗ１と同じである。なお、幅Ｗ２は、幅Ｗ１と異なっていてもよい。
【００２３】
図示した例では、第２スペーサＤＣ１、ＤＣ２、ＤＣ３と第１スペーサＵＣ１、ＵＣ２とは、それぞれ、十字状に交差している。なお、第２スペーサＤＣ１、ＤＣ２、ＤＣ３と第１スペーサＵＣ１、ＵＣ２とは、Ｔ字状、又はＹ字状に交差していてもよい。第２スペーサＤＣ１は、走査線Ｇ１に重畳し、走査線Ｇ１に沿って第１方向Ｘに延出している。第２スペーサＤＣ１、ＤＣ２と第１スペーサＵＣ１、ＵＣ２とは、主画素を囲んでいる。また、第２スペーサＤＣ２、ＤＣ３と第１スペーサＵＣ２、ＵＣ３とは、主画素を囲んでいる。第２スペーサＤＣ１は、部分スペーサ（突出部）ＤＣ１１と、部分スペーサ（突出部）ＤＣ１２とを備えている。部分スペーサＤＣ１１は、交差部ＸＰ１と対応する位置で第１スペーサＵＣ１と交差している。部分スペーサＤＣ１２は、交差部ＸＰ４と対応する位置で第１スペーサＵＣ２と交差している。部分スペーサＤＣ１１と部分スペーサＤＣ１２とは、第１方向Ｘに沿って直線状に配置され、第１方向Ｘに隙間（間隔）ＧＰ１を空けて分離している。一例として、部分スペーサＤＣ１１と部分スペーサＤＣ１２とは、第１スペーサＵＣ１と第１スペーサＵＣ２との間で、第１方向Ｘにおいて隙間ＧＰ１を置いて離間している。第２スペーサＤＣ２は、走査線Ｇ２に重畳し、走査線Ｇ２に沿って第１方向Ｘに延出している。第２スペーサＤＣ２は、部分スペーサＤＣ２１と、部分スペーサＤＣ２２とを備えている。部分スペーサＤＣ２１は、交差部ＸＰ５と対応する位置で第１スペーサＵＣ１と交差している。部分スペーサＤＣ２２は、交差部ＸＰ８と対応する位置で第１スペーサＵＣ２と交差している。すなわち、第１スペーサＵＣ１、ＵＣ２と部分スペーサＤＣ１１、ＤＣ１２、ＤＣ２１、ＤＣ２２とは、主画素を囲むように配置されている。部分スペーサＤＣ２１と部分スペーサＤＣ２２とは、第１方向Ｘに沿って直線状に配置され、第１方向Ｘに隙間（間隔）ＧＰ１を空けて分離している。一例として、部分スペーサＤＣ２１と部分スペーサＤＣ２２とは、第１スペーサＵＣ１と第１スペーサＵＣ２との間で、第１方向Ｘにおいて隙間ＧＰ１を置いて離間している。第２スペーサＤＣ３は、走査線Ｇ３に重畳し、走査線Ｇ３に沿って第１方向Ｘに延出している。第２スペーサＤＣ３は、部分スペーサＤＣ３１と、部分スペーサＤＣ３２とを備えている。部分スペーサＤＣ３１は、交差部ＸＰ９と対応する位置で第１スペーサＵＣ１と交差している。部分スペーサＤＣ３２は、交差部ＸＰ１２と対応する位置で第１スペーサＵＣ２と交差している。すなわち、第１スペーサＵＣ１、ＵＣ２と部分スペーサＤＣ２１、ＤＣ２２、ＤＣ３１、ＤＣ３２とは、主画素を囲むように配置されている。部分スペーサＤＣ３１と部分スペーサＤＣ３２とは、第１方向Ｘに沿って直線状に配置され、第１方向Ｘに隙間（間隔）ＧＰ１を空けて分離している。一例として、部分スペーサＤＣ３１と部分スペーサＤＣ３２とは、第１スペーサＵＣ１と第１スペーサＵＣ２との間で、第１方向Ｘにおいて隙間ＧＰ１を置いて離間している。
【００２４】
図４は、第２基板ＳＵＢ２の構成例を示す平面図である。ここでは、図２に示した第１基板ＳＵＢ１の主要部を点線で示し、図３に示した第２スペーサＤＣ及び第１スペーサＵＣを一点鎖線で示している。  
第２基板ＳＵＢ２は、遮光層ＢＭ、及びカラーフィルタＣＦ等を備えている。  
遮光層ＢＭは、遮光性を有している。図示した例では、遮光層ＢＭは、格子状に形成されている。なお、遮光層ＢＭは、はしご状やストライプ状などの格子状以外の構成であってもよい。例えば、遮光層ＢＭは、縦部分ＢＭＹ（ＢＭＹ１、ＢＭＹ２、ＢＭＹ３、ＢＭＹ４…）と、横部分ＢＭＸ（ＢＭＸ１、ＢＭＸ２、ＢＭＸ３…）とを備えている。  
縦部分ＢＭＹは、間隔をおいて第１方向Ｘに並び、第２方向Ｙに延出している。平面視した場合、縦部分ＢＭＹは、信号線Ｓと重なっている。図示した例では、縦部分ＢＭＹ１は、信号線Ｓ１及び第１スペーサＵＣ１に重畳している。縦部分ＢＭＹ２は、信号線Ｓ２に重畳している。縦部分ＢＭＹ３は、信号線Ｓ３に重畳している。縦部分ＢＭＹ４は、信号線Ｓ４及び第１スペーサＵＣ２に重畳している。縦部分ＢＭＹ１、ＢＭＹ２、ＢＭＹ３、及びＢＭＹ４は、１副画素分の間隔を置いて第１方向Ｘに並んでいる。縦部分ＢＭＹは、第１方向Ｘにほぼ一定の幅を有する帯状に形成されている。  
横部分ＢＭＸは、間隔をおいて第２方向Ｙに並び、第１方向Ｘに延出している。横部分ＢＭＸは、平面視した場合、走査線Ｇ、スイッチング素子ＳＷや、Ｓ／Ｄ層ＲＥなどの配線部と重なっている。図示した例では、横部分ＢＭＸ１は、走査線Ｇ１及び第２スペーサＤＣ１に重畳している。横部分ＢＭＸ２は、走査線Ｇ２及び第２スペーサＤＣ２に重畳している。横部分ＢＭＸ３は、走査線Ｇ３及び第２スペーサＤＣ３に重畳している。横部分ＢＭＸは、第２方向Ｙにほぼ一定の幅を有する帯状に形成されている。
【００２５】
縦部分ＢＭＹと横部分ＢＭＸとは、平面視した場合、交差している。図示した例では、縦部分ＢＭＹと横部分ＢＭＸとは、平面視した場合、十字状に交差している。これら縦部分ＢＭＹと横部分ＢＭＸとによって区画され、開口部ＯＰ（ＯＰ１、ＯＰ２、ＯＰ３、ＯＰ４、ＯＰ５、ＯＰ６…）が形成されている。開口部ＯＰは、Ｘ−Ｙ平面上にマトリクス状に配置されている。開口部ＯＰは、表示に寄与する領域である。図示した例では、開口部ＯＰ１乃至ＯＰ６は略同じ大きさで形成されている。つまり、開口部ＯＰを区画している縦部分ＢＭＹと横部分ＢＭＸとは、それぞれが延出している方向と交差する方向における幅が、一定の幅で形成されている。言い換えると、縦部分ＢＭＹと横部分ＢＭＸとが交差する部分や、その他の部分において、遮光層ＢＭの幅が拡張された部分を有していない。そのため、スペーサＵＣ及びＤＣの配置を考慮して遮光層ＢＭを配置する必要がなく、開口率を向上させることができる。
【００２６】
カラーフィルタＣＦは、開口部ＯＰに設けられている。カラーフィルタＣＦは、第１色のカラーフィルタＣＦ１と、第２色のカラーフィルタＣＦ２と、第３色のカラーフィルタＣＦ３とを備えている。第１色、第２色、及び、第３色は、互いに異なる色である。一例では、カラーフィルタＣＦ１は、赤色カラーフィルタであり、カラーフィルタＣＦ２は、緑色カラーフィルタであり、カラーフィルタＣＦ３は、青色カラーフィルタである。  
図示した例では、カラーフィルタＣＦ１、ＣＦ２、及びＣＦ３は、この順に第１方向Ｘに繰り返し配置されている。また、カラーフィルタＣＦ１、ＣＦ２、ＣＦ３は、それぞれ、第２方向Ｙに従って配置されている。一例とし、開口部ＯＰ１及びＯＰ４は、カラーフィルタＣＦ１を有している。開口部ＯＰ２及びＯＰ５は、カラーフィルタＣＦ２を有している。開口部ＯＰ３及びＯＰ６は、カラーフィルタＣＦ３を有している。なお、カラーフィルタＣＦ１乃至ＣＦ３の色の組み合せは、前述した例に限定されるものではない。また、カラーフィルタＣＦは、白色カラーフィルタを有していてもよい。この場合、第１方向Ｘにおいて、赤色カラーフィルタ、緑色カラーフィルタ、青色カラーフィルタをそれぞれ有する３つの開口部に白色カラーフィルタを有する開口部が追加されても良い。この白色カラーフィルタを有する開口部（白色画素）に相当する開口部には無着色の樹脂材料が配置されていても良い。
【００２７】
図５は、図４に示したＡ−Ａに沿って切断した表示装置ＤＳＰの構成例を示す断面図である。以下、第３方向Ｚを示す矢印の先端の向かう方向を上と定義し、矢印の先端と逆方向を下と定義する。「第１部材の上の第２部材」及び「第１部材の下の第２部材」とした場合、第２部材は、第１部材に接していてもよく、又は第１部材から離れて位置していてもよい。
【００２８】
表示装置ＤＳＰは、バックライトユニットＢＬ、表示パネルＰＮＬ、及びカバー部材ＣＧ等を備えている。  
表示パネルＰＮＬは、第３方向Ｚに沿って、第１基板ＳＵＢ１、液晶層ＬＣ、及び第２基板ＳＵＢ２の順に配置されている。    第１基板ＳＵＢ１は、第１絶縁基板１０、第１絶縁膜１１、第２絶縁膜１２、第３絶縁膜１３、第４絶縁膜１４、第５絶縁膜１５、信号線Ｓ、走査線Ｇ、共通電極ＣＥ、第１スペーサＵＣ（ＵＣ１、ＵＣ２）、及び第１配向膜ＡＬ１などを備えている。例えば、第１絶縁膜１１、第２絶縁膜１２、第３絶縁膜１３、及び第５絶縁膜１５は、シリコン酸化物、シリコン窒化物、シリコン酸窒化物などの無機絶縁膜である。例えば、第４絶縁膜１４は、アクリル樹脂などの有機絶縁膜である。なお、第１絶縁膜１１、第２絶縁膜１２、第３絶縁膜１３、及び第５絶縁膜１５は、単層構造であってもよいし、多層構造であってもよい。
【００２９】
第１絶縁基板１０は、光透過性を有する基板である。一例として、第１絶縁基板１０は、可撓性を有するフレキシブル基板である。例えば、第１絶縁基板１０は、ポリイミド等の樹脂基板である。第１絶縁膜１１は、第１絶縁基板１０の上に位置している。  
半導体層ＳＣは、第１絶縁膜１１の上に位置し、第２絶縁膜１２によって覆われている。図示した例では、半導体層ＳＣ１、ＳＣ２、ＳＣ３、及びＳＣ４は、第１絶縁膜１１の上で、間隔を置いて第１方向Ｘに並べられている。第２絶縁膜１２は、第１絶縁膜１１の上に位置している。走査線Ｇは、第２絶縁膜１２の上に位置している。図示した例では、走査線Ｇ１は、第２絶縁膜１２の上で、第２絶縁膜１２に沿って第１方向Ｘに延出している。第３絶縁膜１３は、走査線Ｇの上に位置している。  
信号線Ｓは、第３絶縁膜１３の上に位置し、第４絶縁膜１４によって覆われている。図示した例では、信号線Ｓ１、Ｓ２、Ｓ３、及びＳ４は、第３絶縁膜１３の上で、間隔を置いて第１方向Ｘに並べられている。信号線Ｓ１は、半導体層ＳＣ１の直上に位置している。信号線Ｓ２は、半導体層ＳＣ２の直上に位置している。信号線Ｓ３は、半導体層ＳＣ３の直上に位置している。信号線Ｓ４は、半導体層ＳＣ４の直上に位置している。
【００３０】
共通電極ＣＥは、第４絶縁膜１４の上に位置している。共通電極ＣＥは、インジウム・ティン・オキサイド（ＩＴＯ）やインジウム・ジンク・オキサイド（ＩＺＯ）などの透明な導電材料によって形成されている。第５絶縁膜１５は、共通電極ＣＥの上に位置している。  
第１スペーサＵＣは、第５絶縁膜１５の上に位置している。第１スペーサＵＣは、第２基板ＳＵＢ２に向かって突出したテーパ形状を有している。図示した例では、第１スペーサＵＣ１及びＵＣ２は、第５絶縁膜１５の上で、１主画素分の間隔を置いて並んでいる。第１スペーサＵＣ１は、信号線Ｓ１の直上に位置している。第１スペーサＵＣ２は、信号線Ｓ４の直上に位置している。第１スペーサＵＣ１は、第２基板ＳＵＢ２に対向する先端面ＵＴ１に向かって先細るテーパ形状を有している。第１スペーサＵＣ２は、第２基板ＳＵＢ２に対向する先端面ＵＴ２に向かって先細るテーパ形状を有している。第１配向膜ＡＬ１は、第５絶縁膜１５及び第１スペーサＵＣの一部の上に位置している。図示した例では、第１配向膜ＡＬ１は、第５絶縁膜１５と第１スペーサＵＣのテーパ部分の上に位置している。
【００３１】
第２基板ＳＵＢ２は、第２絶縁基板２０、遮光層ＢＭ、カラーフィルタＣＦ、オーバーコート層ＯＣ、及び第２スペーサＤＣ（ＤＣ１）などを備えている。図示した例では、第２基板ＳＵＢ２は、第１基板ＳＵＢ１の上に位置し、第１基板ＳＵＢ１に対向している。  
第２絶縁基板２０は、光透過性を有する基板である。一例として、第２絶縁基板２０は、可撓性を有するフレキシブル基板である。例えば、第２絶縁基板２０は、ポリイミド等の樹脂基板である。  
遮光層ＢＭは、第２絶縁基板２０の下に位置している。カラーフィルタＣＦは、遮光層ＢＭの下に位置している。図示した例では、カラーフィルタＣＦ１、ＣＦ２、及びＣＦ３は、第１スペーサＵＣ１と第１スペーサＵＣ２との間で、第１方向Ｘに順に並んでいる。オーバーコート層ＯＣは、カラーフィルタＣＦの下に位置している。なお、カラーフィルタＣＦは、遮光層ＢＭの上に位置していてもよい。
【００３２】
第２スペーサＤＣは、オーバーコート層ＯＣの下に位置している。第２スペーサＤＣは、オーバーコート層ＯＣに沿って第１方向Ｘに延出している。第２スペーサＤＣの一部は、第１スペーサＵＣに対向している。例えば、第２スペーサＤＣは、交差部ＸＰと対応する位置で第１スペーサＵＣに接触している。なお、第２スペーサＤＣは、交差部ＸＰ以外で第１スペーサＵＣに接触していてもよい。第２スペーサＤＣの第３方向Ｚの厚さは、第１方向Ｘに一定である。なお、第２スペーサＤＣの第３方向Ｚの厚さは、第１スペーサＵＣの第３方向Ｚの厚さと同じでもよい。図示した例では、第２スペーサＤＣ１において、部分スペーサＤＣ１１と部分スペーサＤＣ１２とは、オーバーコート層ＯＣの下で、隙間ＧＰ１を置いて第１方向Ｘに離間している。このように、部分スペーサＤＣ１１と部分スペーサＤＣ１２とが隙間ＧＰ１を置いて離間していることで、液晶層ＬＣの液晶分子の流動性が高まる。部分スペーサＤＣ１１は、第１スペーサＵＣ１に対向している。部分スペーサＤＣ１１の第１基板ＳＵＢ１に対向する先端面ＤＴ１は、交差部ＸＰ１と対応する位置で第１スペーサＵＣ１の先端面ＵＴ１に接触している。部分スペーサＤＣ１２は、第１スペーサＵＣ２に対向している。部分スペーサＤＣ１２の第１基板ＳＵＢ１に対向する先端面ＤＴ２は、交差部ＸＰ４と対応する位置で第１スペーサＵＣ２の先端面ＵＴ２に接触している。第２配向膜ＡＬ２は、オーバーコート層ＯＣの下に位置している。  
第１配向膜ＡＬ１と第２配向膜ＡＬ２との間には、所定のセルギャップが形成される。セルギャップは、例えば２〜５μｍである。第１基板ＳＵＢ１及び第２基板ＳＵＢ２は、所定のセルギャップが形成された状態で前述したシール材によって貼り合わせられている。
【００３３】
液晶層ＬＣは、第１基板ＳＵＢ１及び第２基板ＳＵＢ２の間に形成されたセルギャップに保持されている。図示した例では、液晶層ＬＣは、第１配向膜ＡＬ１と第２配向膜ＡＬ２との間に保持されている。液晶層ＬＣは、液晶分子を含んでいる。このような液晶層ＬＣは、ポジ型（誘電率異方性が正）の液晶材料、あるいは、ネガ型（誘電率異方性が負）の液晶材料によって構成されている。
【００３４】
上記のような構成の表示パネルＰＮＬに対して、第１基板ＳＵＢ１の下には、第１偏光板ＰＬ１を含む第１光学素子ＯＤ１が配置されている。また、第２基板ＳＵＢ２の上には、第２偏光板ＰＬ２を含む第２光学素子ＯＤ２が配置されている。図示した例では、第１光学素子ＯＤ１は、第１絶縁基板１０の下に配置され、第２光学素子ＯＤ２は、第２絶縁基板２０の上に配置されている。一例では、第１偏光板ＰＬ１及び第２偏光板ＰＬ２は、それぞれの吸収軸がＸ−Ｙ平面において互いに直交するように配置されている。なお、第１光学素子ＯＤ１及び第２光学素子ＯＤ２は、必要に応じて、１／４波長板や１／２波長板などの位相差板、散乱層、反射防止層などを備えていても良い。
【００３５】
カバー部材ＣＧは、第２基板ＳＵＢ２の上に位置している。カバー部材ＣＧは、例えばガラス製であるが、樹脂製であってもよい。カバー部材ＣＧは、第２基板ＳＵＢ２と接着剤ＡＤで接着されている。図示した例では、カバー部材ＣＧは、第２光学素子ＯＤ２の上に接着剤ＡＤで接着されている。なお、カバー部材ＣＧと第２光学素子ＯＤ２との間には、接着剤ＡＤ以外にいくつかの層が配置されていてもよい。
【００３６】
図６は、図５に示したＢ−Ｂに沿って切断した表示装置ＤＳＰの構成例を示す断面図である。  
第１基板ＳＵＢ１は、遮光層ＬＳを備えている。遮光層ＬＳは、第１絶縁基板１０と第１絶縁膜１１との間に位置している。遮光層ＬＳは、一例では、モリブデンタングステン合金製である。信号線Ｓは、第２絶縁膜１２及び第３絶縁膜１３を貫通したコンタクトホールＣＨ３を介してスイッチング素子ＳＷ（半導体層ＳＣ）に電気的に接続されている。図示した例では、信号線Ｓ１は、第２絶縁膜１２及び第３絶縁膜１３を貫通したコンタクトホールＣＨ３１を介してスイッチング素子ＳＷ１（半導体層ＳＣ１）に電気的に接続されている。走査線Ｇ１の一部であるゲート電極ＷＧ１は、第２絶縁膜１２及び第３絶縁膜１３の間に位置し、半導体層ＳＣ１を介して遮光層ＬＳに対向している。第１スペーサＵＣは、第５絶縁膜１５に沿って延出している。第１スペーサＵＣの第３方向Ｚの厚さは、延出する方向に沿って一定である。図示した例では、第１スペーサＵＣ１は、第５絶縁膜１５に沿って延出している。第１スペーサＵＣ１の第３方向Ｚの厚さは、延出する方向に沿って一定である。
【００３７】
第２基板ＳＵＢ２において、第２スペーサＤＣは、第１基板に向かって突出したテーパ形状を有している。図示した例では、第２スペーサＤＣ１は、走査線Ｇ１の直上に位置している。第２スペーサＤＣ１は、先端面ＤＴ１に向かって先細るテーパ形状を有している。第２配向膜ＡＬ２は、第２スペーサＤＣの一部の下にも位置している。図示した例では、第２配向膜ＡＬ２は、第２スペーサＤＣ１のテーパ部分の下にも位置している。
【００３８】
図７は、表示装置ＤＳＰの構成例を示す斜視図である。  
図示した例では、カバー部材ＣＧは、第１方向Ｘの両端部で第３方向Ｚの下に湾曲している湾曲部ＣＰ（ＣＰ１、ＣＰ２）と、２つの湾曲部ＣＰの間で略平坦な平坦部ＦＰとを備えている。湾曲部ＣＰ（ＣＰ１、ＣＰ２）は、第２方向Ｙに延出する母線ＧＬによって形成されている。なお、カバー部材ＣＧは、第１方向Ｘにおいて、２つの湾曲部ＣＰの間の領域が湾曲している構成であってもよい。また、カバー部材ＣＧは、第１方向Ｘにおいて、湾曲部ＣＰを有していない平坦な構成であってもよい。カバー部材ＣＧは、第２方向Ｙの両端部で湾曲している２つの湾曲部を備える構成であってもよい。この場合、第２方向Ｙの両端部で湾曲している湾曲部は、第１方向Ｘに延出する母線ＧＬによって形成される。カバー部材ＣＧは、第３方向Ｚの下側に表示パネルＰＮＬが貼り付けられている。
【００３９】
図８は、図７に示したＣ−Ｃに沿って切断した表示装置ＤＳＰの構成例を示す断面図である。  
表示パネルＰＮＬは、カバー部材ＣＧの下面ＣＢに接着されている。図示した例では、表示パネルＰＮＬの上面ＰＵが、カバー部材ＣＧの下面ＣＢに接着されている。表示パネルＰＢＬの上面ＰＵは、第２基板ＳＵＢ２の上面に相当する。表示パネルＰＮＬは、平坦部ＦＰに対向する第１領域ＡＲ１と、湾曲部ＣＰ（ＣＰ１、ＣＰ２）に対向する第２領域ＡＲ２とを有している。例えば、第１領域ＡＲ１は、平坦部ＦＰに沿って平坦である。第２領域ＡＲ２は、湾曲部ＣＰに沿って湾曲している。また、図示した例では、カバー部材ＣＧの湾曲部ＣＰ（ＣＰ１、ＣＰ２）は、平坦部ＦＰよりも第１基板側に湾曲している。
【００４０】
例えば、表示装置ＤＳＰの製造時に表示パネルＰＮＬをカバー部材ＣＧに貼り付ける場合や、通常の使用する場合等で、第１基板ＳＵＢ１に第１方向Ｘの外側に伸びる応力が生じ、第２基板ＳＵＢ２に第１方向Ｘの内側に縮む応力が生じ得る。表示パネルＰＮＬに加わる応力の大きさは、第１領域ＡＲ１よりも第２領域ＡＲ２に生じる応力の方が大きい。例えば、表示パネルＰＮＬを湾曲し易くするために、第２スペーサＤＣに形成された隙間ＧＰ１は、少なくとも第２領域ＡＲ２に位置している。例えば、図３に示した部分スペーサＤＣ１１と部分スペーサＤＣ１２との隙間ＧＰ１は、第２領域ＡＲ２に位置している。すなわち、部分スペーサＤＣ１１と部分スペーサＤＣ１２とは、第２領域ＡＲ２において隙間ＧＰ１を空けて分離している。同様に、図３に示した部分スペーサＤＣ２１、ＤＣ３１と部分スペーサＤＣ２２、ＤＣ３２とは、それぞれ、第２領域ＡＲ２において隙間ＧＰ１を空けて分離している。なお、第２スペーサＤＣに形成された隙間ＧＰ１は、第１領域ＡＲ１と第２領域ＡＲ２との境界に位置していてもよい。また、図７に示した例のように表示装置２が第１方向Ｘで湾曲している場合、第１方向Ｘに延出するスペーサが、第２方向Ｙに延出するスペーサよりも長く形成されていてもよい。例えば、図７に示した例では、図３に示した第２スペーサＤＣは、図３に示した第１スペーサＵＣよりも長く形成されていてもよい。  
なお、第２方向Ｙで湾曲している湾曲部を備える場合には、表示パネルＰＮＬは、湾曲し易くするために、湾曲している領域に、すなわち、湾曲部を備える領域に第１スペーサＵＣの隙間（間隔）が位置している。
【００４１】
本実施形態によれば、表示装置ＤＳＰは、第１基板ＳＵＢ１と第２基板ＳＵＢ２とがシール材ＳＬにより貼り付けられて構成された表示パネルＰＮＬを備えている。第１基板ＳＵＢ１は、第２基板ＳＵＢ２側に突出する第１スペーサＵＣを備えている。第２基板ＳＵＢ２は、第１スペーサＵＣに対向し、第１基板ＳＵＢ１側に突出する第２スペーサＤＣを備えている。第１スペーサＵＣは、第２方向Ｙに延出し、第２スペーサＤＣは、第１方向Ｘに延出している。また、第１スペーサＵＣと第２スペーサＤＣとは、交差している。第２スペーサＤＣは、第１スペーサＵＣの第１方向Ｘの幅Ｗ１よりも小さい隙間ＧＰ１を有している。そのため、表示装置ＤＳＰは、第１基板ＳＵＢ１と第２基板ＳＵＢ２との位置ずれ等に起因して、第２スペーサＤＣが第１スペーサＵＣから脱落して第１配向膜ＡＬ１を損傷することを防止できる。また、表示装置ＤＳＰは、第１基板ＳＵＢ１及び第２基板ＳＵＢ２の全体を第１スペーサＵＣと第２スペーサＤＣとで支持できる。つまり、表示装置ＤＳＰは、配向膜の損傷による配向不良に起因する光漏れを抑制し、コントラスト比の低下を防止できる。したがって、表示品位を改善可能な表示装置を提供することができる。
【００４２】
次に、変形例および他の実施形態に係る表示装置について説明する。以下に説明する変形例および他の実施形態において、前述した第１実施形態と同一の部分には、同一の参照符号を付しその詳細な説明を省略あるいは簡略化し、第１実施形態と異なる部分を中心に詳細に説明する。
【００４３】
図９は、変形例１に係る第１スペーサＵＣと第２スペーサＤＣとの構成例を示す平面図である。ここでは、図２に示した第１基板ＳＵＢ１の主要部を点線で示している。  
変形例１に係る表示装置ＤＳＰは、図３に示した表示装置ＤＳＰと比べて第２スペーサＤＣが隙間ＧＰ１を有していない点が相違する。
【００４４】
図示した例では、第１スペーサＵＣ１０１は、信号線Ｓ１０１に重畳し、信号線Ｓ１０１に沿って第２方向Ｙに延出している。第１スペーサＵＣ１０２は、信号線Ｓ１０４に重畳し、信号線Ｓ１０４に沿って第２方向Ｙに延出している。第１スペーサＵＣ１０１と第１スペーサＵＣ１０２とは、第１方向Ｘに１主画素分の間隔を置いて離間している。第１スペーサＵＣ１０１、ＵＣ１０２は、第１方向Ｘの幅Ｗ１で形成されている。
【００４５】
第２スペーサＤＣは、隙間ＧＰ１を有していない。図示した例では、第２スペーサＤＣ１、ＤＣ２、ＤＣ３と第１スペーサＵＣ１０１、ＵＣ１０２とは、それぞれ、十字状に交差している。なお、第２スペーサＤＣ１、ＤＣ２、ＤＣ３と第１スペーサＵＣ１０１、ＵＣ１０２とは、Ｔ字状、又はＹ字状に交差していてもよい。第２スペーサＤＣ１は、走査線Ｇ１に重畳し、走査線Ｇ１に沿って第１方向Ｘに延出している。第２スペーサＤＣ１は、交差部ＸＰ２１で第１スペーサＵＣ１０１と交差し、交差部ＸＰ２４で第１スペーサＵＣ１０２と交差している。第２スペーサＤＣ１は、第１方向Ｘに沿って直線状に配置されている。第２スペーサＤＣ２は、走査線Ｇ２に重畳し、走査線Ｇ２に沿って第１方向Ｘに延出している。第２スペーサＤＣ２は、交差部ＸＰ２５で第１スペーサＵＣ１０１と交差し、交差部ＸＰ２８で第１スペーサＵＣ１０２と交差している。第２スペーサＤＣ２は、第１方向Ｘに沿って直線状に配置されている。すなわち、第１スペーサＵＣ１０１、ＵＣ１０２と第２スペーサＤＣ１、ＤＣ２とは、主画素を囲むように配置されている。第２スペーサＤＣ３は、走査線Ｇ１に重畳し、走査線Ｇ１に沿って第１方向Ｘに延出している。第２スペーサＤＣ３は、交差部ＸＰ２９で第１スペーサＵＣ１０１と交差し、交差部ＸＰ３２で第１スペーサＵＣ１０２と交差している。すなわち、第１スペーサＵＣ１０１、ＵＣ１０２と第２スペーサＤＣ２、ＤＣ３とは、主画素を囲むように配置されている。第２スペーサＤＣ３は、第１方向Ｘに沿って直線状に配置されている。  
例えば、図９に示した第２スペーサＤＣは、図７及び図８に示した第１領域ＡＲ１に位置している。このとき、図３に示した第２スペーサＤＣは、図７及び図８に示した第２領域ＡＲ２に位置している。  
変形例１によれば、表示装置ＤＳＰは、カバー部材ＣＧの平坦部ＦＰに対向する表示パネルＰＮＬの第１領域の剛性を高めることができる。
【００４６】
図１０は、変形例２に係る第１スペーサＵＣと第２スペーサＤＣとの構成例を示す平面図である。ここでは、図２に示した第１基板ＳＵＢ１の主要部を点線で示している。  
変形例２に係る表示装置ＤＳＰは、図３に示した表示装置ＤＳＰと比べて第２スペーサＤＣが第１方向Ｘにおいて複数の隙間ＧＰ１を有している点が相違する。
【００４７】
第２スペーサＤＣは、第１方向Ｘに複数の隙間ＧＰ１を有している。図示した例では、第２スペーサＤＣ１は、部分スペーサＤＣ１１と、部分スペーサＤＣ１２と、部分スペーサＤＣ１３とを備えている。部分スペーサＤＣ１１は、交差部ＸＰ１で第１スペーサＵＣ１と交差している。部分スペーサＤＣ１２は、交差部ＸＰ４で第１スペーサＵＣ２と交差している。部分スペーサＤＣ１３は、部分スペーサＤＣ１１と、部分スペーサＤＣ１２との間に位置している。部分スペーサＤＣ１１、部分スペーサＤＣ１２、及び部分スペーサＤＣ１３は、第１方向Ｘに沿って直線状に配置され、第１方向Ｘに隙間ＧＰ１を空けて分離している。一例として、部分スペーサＤＣ１１と部分スペーサＤＣ１３とは、第１スペーサＵＣ１と第１スペーサＵＣ２との間で、第１方向Ｘにおいて隙間ＧＰ１を置いて離間している。部分スペーサＤＣ１３と部分スペーサＤＣ１２とは、第１スペーサＵＣ１と第１スペーサＵＣ２との間で、第１方向Ｘにおいて隙間ＧＰ１を置いて離間している。第２スペーサＤＣ２は、部分スペーサＤＣ２１と、部分スペーサＤＣ２２と、部分スペーサＤＣ２３とを備えている。部分スペーサＤＣ２１は、交差部ＸＰ５で第１スペーサＵＣ１と交差している。部分スペーサＤＣ２２は、交差部ＸＰ８で第１スペーサＵＣ２と交差している。すなわち、第１スペーサＵＣ１、ＵＣ２と、第２スペーサＤＣ１１乃至ＤＣ１３、ＤＣ２１乃至ＤＣ２３とは、主画素を囲むように配置されている。部分スペーサＤＣ２３は、部分スペーサＤＣ２１と、部分スペーサＤＣ２２との間に位置している。部分スペーサＤＣ２１、部分スペーサＤＣ２２、及び部分スペーサＤＣ２３は、第１方向Ｘに沿って直線状に配置され、第１方向Ｘに隙間ＧＰ１を空けて分離している。一例として、部分スペーサＤＣ２１と部分スペーサＤＣ２３とは、第１スペーサＵＣ１と第１スペーサＵＣ２との間で、第１方向Ｘにおいて隙間ＧＰ１を置いて離間している。部分スペーサＤＣ２３と部分スペーサＤＣ２２とは、第１スペーサＵＣ１と第１スペーサＵＣ２との間で、第１方向Ｘにおいて隙間ＧＰ１を置いて離間している。第２スペーサＤＣ３は、部分スペーサＤＣ３１と、部分スペーサＤＣ３２と、部分スペーサＤＣ３３とを備えている。部分スペーサＤＣ３１は、交差部ＸＰ９で第１スペーサＵＣ１と交差している。部分スペーサＤＣ３２は、交差部ＸＰ１２で第１スペーサＵＣ２と交差している。第１スペーサＵＣ１、ＵＣ２と、第２スペーサＤＣ２１乃至ＤＣ２３、ＤＣ３１乃至ＤＣ３３とは、主画素を囲むように配置されている。部分スペーサＤＣ３３は、部分スペーサＤＣ３１と、部分スペーサＤＣ３２との間に位置している。部分スペーサＤＣ３１、部分スペーサＤＣ３２、及び部分スペーサＤＣ３３は、第１方向Ｘに沿って直線状に配置され、第１方向Ｘに隙間ＧＰ１を空けて分離している。一例として、部分スペーサＤＣ３１と部分スペーサＤＣ３３とは、第１スペーサＵＣ１と第１スペーサＵＣ２との間で、第１方向Ｘにおいて隙間ＧＰ１を置いて離間している。部分スペーサＤＣ３３と部分スペーサＤＣ３２とは、第１スペーサＵＣ１と第１スペーサＵＣ２との間で、第１方向Ｘにおいて隙間ＧＰ１を置いて離間している。  
例えば、図１０に示した第２スペーサＤＣは、図７及び図８に示した第２領域ＡＲ２に位置している。なお、図１０に示した第２スペーサＤＣは、図７及び図８に示した第１領域ＡＲ２に位置していていもよい。  
変形例２によれば、前述の実施形態と同様の効果が得られる。加えて、表示装置ＤＳＰは、液晶層ＬＣの液晶分子の流動性を高めることができる。
【００４８】
図１１は、変形例３に係る第１スペーサＵＣと第２スペーサＤＣとの構成例を示す平面図である。ここでは、図２に示した第１基板ＳＵＢ１の主要部を点線で示している。  
変形例３に係る表示装置ＤＳＰは、図３に示した表示装置ＤＳＰと比べて第１スペーサＵＣが隙間ＧＰ２を有している点が相違する。
【００４９】
第１スペーサＵＣは、少なくとも１つ隙間ＧＰ２を有している。隙間ＧＰ２は、第２スペーサＤＣの第２方向Ｙの幅Ｗ２よりも小さい。なお、隙間ＧＰ２は、隙間ＧＰ１と同じであってもよい。図示した例では、第１スペーサＵＣ１は、部分スペーサＵＣ１１と、部分スペーサＵＣ１２と、部分スペーサＵＣ１３とを備えている。部分スペーサＵＣ１１は、交差部ＸＰ１で第２スペーサＤＣ１と交差している。部分スペーサＵＣ１２は、交差部ＸＰ５で第２スペーサＤＣ２と交差している。部分スペーサＵＣ１３は、交差部ＸＰ９で第２スペーサＤＣ３と交差している。部分スペーサＵＣ１１、部分スペーサＵＣ１２、及び部分スペーサＵＣ１３は、第２方向Ｙに沿って配置され、第２方向Ｘに隙間（間隔）ＧＰ２を空けて分離している。一例として、部分スペーサＵＣ１１と部分スペーサＵＣ１２とは、第２スペーサＤＣ１と第２スペーサＤＣ２との間で、第２方向Ｘにおいて隙間ＧＰ２を置いて離間している。部分スペーサＵＣ１２と部分スペーサＵＣ１３とは、第２スペーサＤＣ２と第２スペーサＤＣ３との間で、第２方向Ｘにおいて隙間ＧＰ２を置いて離間している。なお、第１スペーサＵＣ１は、第２スペーサＤＣ１と第２スペーサＤＣ２との間に複数の隙間ＧＰ２を有していてもよい。同様に、第１スペーサＵＣ１は、第２スペーサＤＣ２と第２スペーサＤＣ３との間に複数の隙間ＧＰ２を有していてもよい。
【００５０】
第１スペーサＵＣ２は、部分スペーサＵＣ２１と、部分スペーサＵＣ２２と、部分スペーサＵＣ２３とを備えている。部分スペーサＵＣ２１は、交差部ＸＰ４で第２スペーサＤＣ１と交差している。部分スペーサＵＣ２２は、交差部ＸＰ８で第２スペーサＤＣ２と交差している。部分スペーサＵＣ２３は、交差部ＸＰ１２で第２スペーサＤＣ３と交差している。部分スペーサＵＣ２１、部分スペーサＵＣ２２、及び部分スペーサＵＣ２３は、第２方向Ｙに沿って配置され、第２方向Ｘに隙間ＧＰ２を空けて分離している。一例として、部分スペーサＵＣ２１と部分スペーサＵＣ２２とは、第２スペーサＤＣ１と第２スペーサＤＣ２との間で、第２方向Ｘにおいて隙間ＧＰ２を置いて離間している。部分スペーサＵＣ２２と部分スペーサＵＣ２３とは、第２スペーサＤＣ２と第２スペーサＤＣ３との間で、第２方向Ｘにおいて隙間ＧＰ２を置いて離間している。なお、第１スペーサＵＣ２は、第２スペーサＤＣ１と第２スペーサＤＣ２との間に複数の隙間ＧＰ２を有していてもよい。同様に、第１スペーサＵＣ２は、第２スペーサＤＣ２と第２スペーサＤＣ３との間に複数の隙間ＧＰ２を有していてもよい。また、カバー部材ＣＧが第２方向Ｙの両端部で湾曲している２つの湾曲部を備える場合には、表示パネルＰＮＬは、湾曲し易くするために、湾曲部を備える領域に第１スペーサＵＣの隙間（間隔）ＧＰ２が位置している。
【００５１】
第２スペーサＤＣは、隙間ＧＰ１を有していない。図示した例では、第２スペーサＤＣ１は、第１方向Ｘに沿って直線状に配置され、第１方向Ｘに隙間を有していない。第２スペーサＤＣ２は、第１方向Ｘに沿って直線状に配置されている。第２スペーサＤＣ３は、第１方向Ｘに沿って直線状に配置されている。  
変形例３によれば、表示装置ＤＳＰは、第２方向Ｙで湾曲する場合に、第２方向Ｙに湾曲し易くすることができる。また、表示装置ＤＳＰは、液晶層ＬＣの液晶分子の流動性を高めることができる。
【００５２】
図１２は、変形例４に係る第１スペーサＵＣと第２スペーサＤＣとの構成例を示す平面図である。ここでは、図２に示した第１基板ＳＵＢ１の主要部を点線で示している。  
変形例４に係る表示装置ＤＳＰは、図３に示した表示装置ＤＳＰと比べて第２スペーサが隙間ＧＰ１と有し、第１スペーサＵＣが隙間ＧＰ２を有している点が相違する。  
第２スペーサＤＣは、少なくとも１つの隙間ＧＰ１を有している。第１スペーサＵＣは、少なくとも１つの隙間ＧＰ２を有している。
【００５３】
変形例４によれば、前述の実施形態と同様の効果が得られる。加えて、表示装置ＤＳＰは、第２方向Ｙで湾曲する場合に、第２方向Ｙに湾曲し易くすることができる。また、表示装置ＤＳＰは、液晶層ＬＣの液晶分子の流動性を高めることができる。
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５４】
ＤＳＰ…表示装置  ＰＮＬ…表示パネル  ＳＵＢ１…第１基板  ＳＵＢ２…第２基板
ＢＬ…照明装置  ＤＡ…表示領域  ＮＤＡ…非表示領域
Ｇ…走査線  Ｓ…信号線  ＳＷ…スイッチング素子  ＰＥ…画素電極
ＣＥ…共通電極  ＢＭ…遮光層  ＣＦ…カラーフィルタ  ＵＣ…第１スペーサ
ＤＣ…第２スペーサ。
【図１】
2019045759.tif 000003
【図２】
2019045759.tif 000004
【図３】
2019045759.tif 000005
【図４】
2019045759.tif 000006
【図５】
2019045759.tif 000007
【図６】
2019045759.tif 000008
【図７】
2019045759.tif 000009
【図８】
2019045759.tif 000010
【図９】
2019045759.tif 000011
【図１０】
2019045759.tif 000012
【図１１】
2019045759.tif 000013
【図１２】
2019045759.tif 000014